【手続補正書】
【提出日】平成16年9月10日(2004.9.10)
【手続補正１】
【補正対象書類名】明細書
【補正対象項目名】特許請求の範囲
【補正方法】変更
【補正の内容】
【特許請求の範囲】
【請求項１】
マトリクス状に配置された複数の画素電極と１つの対向電極との間に液晶が充填され、各々の前記画素電極は各対応する薄膜トランジスタを介して各対応する信号線に電気的に接続されるとともに、前記薄膜トランジスタの制御端子が各対応するゲート線に電気的に接続され、前記対向電極には所定の対向電極電圧が印加され、各々の前記画素電極には各対応する前記ゲート線が活性化される度毎に所望の表示階調に対応した電圧レベルを有し、かつ前記対向電極電圧に対して相対的に正の極性または負の極性を有する階調電圧が前記信号線および前記薄膜トランジスタを介して印加されるように構成された液晶ディスプレイ用の信号線駆動回路において、
奇数列の各信号線には正極性の階調電圧を供給すると同時に偶数列の各信号線には負極性の階調電圧を供給する第１の動作と、奇数列の各信号線には負極性の階調電圧を供給すると同時に偶数列の各信号線には正極性の階調電圧を供給する第２の動作とを所定の周期で交互に繰り返させる切換手段と、
前記第１の動作と前記第２の動作との間の切換時に所定のタイミングで任意の奇数列および偶数列の信号線同士を一時的に短絡させる短絡手段と
を有する液晶ディスプレイ用信号線駆動回路。
【請求項２】
前記短絡手段は、各隣合う一対の信号線の間に接続されたスイッチ手段と、定常時は前記スイッチ手段を開状態とし、前記切換時に各信号線に対する階調電圧の供給が中断する期間だけ前記スイッチ手段を閉状態とするスイッチ制御手段とを有することを特徴とする請求項１に記載の信号線駆動回路。
【請求項３】
前記短絡手段は、全ての隣合う信号線の間に接続されたスイッチ手段と、定常時は前記スイッチ手段を開状態とし、前記切換時に各信号線に対する階調電圧の供給が中断する期間だけ前記スイッチ手段を閉状態とするスイッチ制御手段とを有することを特徴とする請求項１に記載の信号線駆動回路。
【請求項４】
前記短絡手段は、前記スイッチ手段が閉状態になっている期間中に、前記対向電極電圧にほぼ等しい電圧を与える電圧源に各々の信号線を電気的に接続させる接続手段を有することを特徴とする請求項１〜３のいずれか一項に記載の信号線駆動回路。
【請求項５】
前記切換手段は、前記ゲート線が線順次走査で駆動されるライン周期またはその整数倍の周期で前記第１の動作と前記第２の動作とを交互に繰り返させるとともに、各々の前記画素電極に前記階調電圧が印加されるフレーム周期で前記第１の動作と前記第２の動作とを交互に繰り返させる請求項１〜４のいずれか一項に記載の信号線駆動回路。
【請求項６】
マトリクス状に配置された複数の画素電極と１つの対向電極との間に液晶が充填され、各々の前記画素電極は各対応する薄膜トランジスタを介して各対応する信号線に電気的に接続されるとともに、前記薄膜トランジスタの制御端子が各対応するゲート線に電気的に接続された液晶パネルと、
前記対向電極に一定の対向電極電圧を印加する手段と、
前記ゲート線を線順次走査で順番に活性化するゲート線駆動手段と、
各々の前記ゲート線が活性化される度毎に該当する前記画素電極に対して所望の表示階調に対応した電圧レベルを有し、かつ前記対向電極電圧に対して相対的に正の極性または負の極性を有する階調電圧を前記信号線を介して印加する信号線駆動手段と、
前記信号線駆動手段が奇数列の各信号線には正極性の階調電圧を供給すると同時に偶数列の各信号線には負極性の階調電圧を供給する第１の動作と、前記信号線駆動手段が奇数列の各信号線には負極性の階調電圧を供給すると同時に偶数列の各信号線には正極性の階調電圧を供給する第２の動作とを所定の周期で交互に繰り返させる切換手段と、
前記第１の動作と前記第２の動作との間の切換時に所定のタイミングで任意の奇数列および偶数列の信号線同士を一時的に短絡させる短絡手段と
を有する液晶表示装置。
【請求項７】
液晶ディスプレイ用の信号線を駆動する駆動回路であって、
第１の画素データ又は第２の画素データを第１の切換制御信号に応答して選択供給するための第１の切換回路と、
上記第２の画素データ又は上記第１の画素データを上記第１の切換制御信号に応答して選択供給するための第２の切換回路と、
上記第１の切換回路から供給される画素データを保持するための第１のラッチ回路と、
上記第２の切換回路から供給される画素データを保持するための第２のラッチ回路と、
上記第１のラッチ回路から供給される画素データを第１の電圧範囲の電圧信号に変換する第１のＤＡコンバータと、
上記第２のラッチ回路から供給される画素データを所定の基準電圧に対して上記第１の電圧範囲と対称関係にある第２の電圧範囲の電圧信号に変換する第２のＤＡコンバータと、
上記第１のＤＡコンバータから供給される電圧信号又は上記第２のＤＡコンバータから供給される電圧信号を第２の切換制御信号に応答して選択供給するための第３の切換回路と、
上記第２のＤＡコンバータから供給される電圧信号又は上記第１のＤＡコンバータから供給される電圧信号を上記第２の切換制御信号に応答して選択供給するための第４の切換回路と、
上記第３の切換回路から供給される電圧信号を出力するための第１の出力端子と、
上記第４の切換回路から供給される電圧信号を出力するための第２の出力端子と
を有し、
上記第１の出力端子と上記第２の出力端子とが液晶ディスプレイの隣接する信号線にそれぞれ接続される液晶ディスプレイ用信号線駆動回路。
【請求項８】
上記第１の出力端子と上記第２の出力端子とを電気的に接続するためのスイッチ回路を有する請求項７に記載の液晶ディスプレイ用信号線駆動回路。
【請求項９】
上記第３の切換回路から供給される電圧信号を入力して上記第１の出力端子に供給するための第１の出力アンプと、
上記第４の切換回路から供給される電圧信号を入力して上記第２の出力端子に供給するための第２の出力アンプと
を有する請求項７又は８に記載の液晶ディスプレイ用信号線駆動回路。
【請求項１０】
上記第１及び第２の切換制御信号が液晶ディスプレイにおけるフレーム周期毎に切換制御される請求項７、８又は９に記載の液晶ディスプレイ用信号線駆動回路。
【手続補正２】
【補正対象書類名】明細書
【補正対象項目名】０２３０
【補正方法】変更
【補正の内容】
【０２３０】
あるいは、別の実施態様として、前記短絡手段は、全ての隣合う信号線の間に接続されたスイッチ手段と、定常時は前記スイッチ手段を開状態とし、前記切換時に各信号線に対する階調電圧の供給が中断する期間だけ前記スイッチ手段を閉状態とするスイッチ制御手段とを有する。他の実施態様として、前記短絡手段は、前記スイッチ手段が閉状態になっている期間中に、前記対向電極電圧にほぼ等しい電圧を与える電圧源に各々の信号線を電気的に接続させる接続手段を有する。
【手続補正３】
【補正対象書類名】明細書
【補正対象項目名】０２４０
【補正方法】変更
【補正の内容】
【０２４０】
また、本発明の好ましい一実施態様として、前記切換手段は、前記ゲート線が線順次走査で駆動されるライン周期またはその整数倍の周期で前記第１の動作と前記第２の動作とを交互に繰り返させるとともに、各々の前記画素電極に前記階調電圧が印加されるフレーム周期で前記第１の動作と前記第２の動作とを交互に繰り返させる。
【手続補正４】
【補正対象書類名】明細書
【補正対象項目名】０２５０
【補正方法】変更
【補正の内容】
【０２５０】
また、本発明の別の観点における液晶ディスプレイ用信号線駆動回路は、第１の画素データ又は第２の画素データを第１の切換制御信号に応答して選択供給するための第１の切換回路と、上記第２の画素データ又は上記第１の画素データを上記第１の切換制御信号に応答して選択供給するための第２の切換回路と、上記第１の切換回路から供給される画素データを保持するための第１のラッチ回路と、上記第２の切換回路から供給される画素データを保持するための第２のラッチ回路と、上記第１のラッチ回路から供給される画素データを第１の電圧範囲の電圧信号に変換する第１のＤＡコンバータと、上記第２のラッチ回路から供給される画素データを所定の基準電圧に対して上記第１の電圧範囲と対称関係にある第２の電圧範囲の電圧信号に変換する第２のＤＡコンバータと、上記第１のＤＡコンバータから供給される電圧信号又は上記第２のＤＡコンバータから供給される電圧信号を第２の切換制御信号に応答して選択供給するための第３の切換回路と、上記第２のＤＡコンバータから供給される電圧信号又は上記第１のＤＡコンバータから供給される電圧信号を上記第２の切換制御信号に応答して選択供給するための第４の切換回路と、上記第３の切換回路から供給される電圧信号を出力するための第１の出力端子と、上記第４の切換回路から供給される電圧信号を出力するための第２の出力端子とを有し、上記第１の出力端子と上記第２の出力端子とが液晶ディスプレイの隣接する信号線にそれぞれ接続される。